(57)【特許請求の範囲】
【請求項１】
表面実装するための電気部品（１）であって、
ハウジング・ブロック（２ａ）として構成されているハウジング・ボディ（２）を有して成り、
少なくとも一部でハウジング・ボディ（２）から突出する複数の接触ピン（３）を有して成り、および
少なくとも１つの方向づけ要素（６）を有して成り、
少なくとも方向づけ要素（６）の操作位置で、接触ピン（３）が少なくとも一部で所定の接触輪郭（Ｋ）に沿って方向づけされて位置しており、
少なくとも１つの方向づけ要素（６）がハウジング・ボディ（２）から離隔して設けられており、
少なくとも１つの方向づけ要素（６）が、方向づけ要素（６）をハウジング・ボディ（２）から突出する少なくとも１つのアーム（３３）のリテーナ（３４）に設けることが可能な実装位置から、方向づけ要素（６）をリテーナ（３４）に固定する操作位置内に方向づけ要素（６）を回転させることができるように構成されており、方向付け要素（６）はリテーナ（３４）内に挿入されることを特徴とする、電気部品（１）。
【請求項２】
方向づけ要素（６）により橋渡しされている少なくとも２つのアーム（３３）が供されていることを特徴とする、請求項１に記載の電気部品（１）。
【請求項３】
ハウジング・ボディ（２）に設けられている少なくとも１つのプレート（５）が少なくとも１つのアーム（３３）を形成していることを特徴とする、請求項１又は２のいずれかに記載の電気部品（１）。
【請求項４】
キャリア（１４ａ）に電気部品（１）を実装するための少なくとも１つの取り付け手段（４）により特徴づけられ、少なくとも１つの方向づけ要素（６）が少なくとも１つの取り付け手段（４）に設けられている、請求項１〜３のいずれかに記載の電気部品（１）。
【請求項５】
少なくとも１つの取り付け手段（４）が少なくとも１つのプレート（５）を形成していることを特徴とする、請求項３に記載の電気部品（１）。
【請求項６】
少なくとも１つのアーム（３３）内の貫通孔が、リテーナ（３４）を形成していることを特徴とする、請求項１に記載の電気部品（１）。
【請求項７】
少なくとも１つの方向づけ要素（６）が、方向づけ要素（６）を貫通孔に挿入し、および/又は貫通孔を介して挿入することができるように構成されていることを特徴とする、請求項６に記載の電気部品（１）。
【請求項８】
実装位置から操作位置内への移動の間、少なくとも１つの方向づけ要素（６）が電気部品（１）から外れないように固定する固定手段（３２）により特徴づけられる、請求項１〜７のいずれかに記載の電気部品（１）。
【請求項９】
固定突起部（３１）が、方向づけ要素（６）に固定手段（３２）として形成されていることを特徴とする、請求項８に記載の電気部品（１）。
【請求項１０】
操作位置で少なくとも１つの方向づけ手段（６）を固定するためのロッキング要素（３９）が、固定手段（３２）に設けられていることを特徴とする、請求項８又は９のいずれかに記載の電気部品（１）。
【発明の詳細な説明】
【技術分野】
【０００１】
本発明は電気部品に関する。より具体的には、本発明は、好ましくはハウジング・ブロックとして構成されているハウジング・ボディを有して成り、少なくとも一部でそのハウジング・ボディから突き出ている複数の接触ピンを有して成り、少なくとも操作箇所で、少なくとも一部で所定の接触輪郭に沿って接触ピンを方向づけて設ける少なくとも１つの方向づけ（又は配向；ｏｒｉｅｎｔａｔｉｏｎ）要素（又はエレメント；ｅｌｅｍｅｎｔ）を有して成る、表面実装のための部品に関する。
【０００２】
電気部品は、例えばコネクタ、プラグ・コネクタ、マイクロチップ、キャパシタ、又は少なくとも２つの接触ピンを有して成り、キャリア好ましくは接触キャリアに接続され、又、例えばその接触ピンを通じて接触キャリアの接触表面にはんだ付けされる別の部品であってよい。
【０００３】
接触ピンは、例えば電気部品のハウジング・ボディに実装され（又は備え付けられ；ｍｏｕｎｔ）、接触（又はコンタクト；ｃｏｎｔａｃｔ）ピンは、実装前又は実装後に細長い形状から湾曲した接触形状に形成される。この場合、接触ピンは、接触輪郭に沿って方向づけされることを要する。しかしながら、実装の間の耐性および変形は、接触ピンが接触輪郭に沿って完全に正確に設けられず、目標位置から接触輪郭に対して多少逸れることを意味している。この種の逸れにより、電気部品（又はコンポーネント；ｃｏｍｐｏｎｅｎｔ）を接触キャリアに実装させる取り付け工程で、接触ピンを十分に接触させることができないかもしれない。
【０００４】
実質的にＣ形状又はＺ形状になるように形成されるＪ−リード又はガルウィング接触ピンとして知られているものを有する、電気部品が知られている。この種の接触ピンを備えている部品は、いわゆる表面実装部品(表面実装デバイス、ＳＭＤｓ)として、取り付け、はんだ付けすることが可能である。
【０００５】
Ｊ−リード接触ピン等の湾曲した接触ピンでの問題は、接触ピンが通常金属から成るため、接触ピンが成形後の異なる手段で弾性的に変形するかもしれない結果、弾性特性を有するということである。所定の接触輪郭に接触ピンを位置付けるため、所望の接触輪郭に接触ピンを位置付ける配向領域に供されるハウジング・ボディを有する部品は、例えばＷＯ２００６／０９３９２１Ａ１およびＷＯ２００６／０９１９６１Ａ１の先行技術により知られている。
【０００６】
又、ＵＳ５１３３６７０、ＵＳ５３５４２０７およびＵＳ６０６５９７８には、ハウジング・ボディに直接に又は接して設けられている方向づけ要素を有して成る表面実装部品が開示されている。
【発明の概要】
【０００７】
標準的なハウジングは方向づけ要素の設置のため特別に適合させる必要があるため、ハウジング・ボディに形成され又は設けられる方向づけ要素を有して成る周知の電気部品に標準的なハウジングを使用することができない。その結果、方向づけ要素の設置はハウジング・ボディの形態により既に決められているため、既知の電気部品を柔軟な方法で使用することができない。
【０００８】
従って、本発明の目的は、接触ピンを所定の接触輪郭に位置付けて、電気部品を柔軟な方法で取り付けることが可能であることを保証する電気部品を供することである。同時に、電気部品は、シンプルであり、生産するための費用効果が高く、又、柔軟な方法で使用することが可能であることを要する。
【０００９】
この目的は、ハウジング・ボディと離して少なくとも１つの方向づけ要素を取り付けることにより、最初に言及した電気部品により達成される。
【００１０】
方向づけ要素の取り付けに対して要する構造的な変更を行うことなく、電気部品の標準的なハウジング・ボディを使用することができるように、方向づけ要素をハウジング・ボディから離隔させて取り付けるため、ハウジング・ボディ自体に対する変更は要しない。本発明の電気部品の場合では、方向づけ要素の取り付けに関して、ハウジング・ボディに対する変更又はハウジング・ボディの構造により予め決められている空間的制約に制限がないので、かなり正確に生産することが可能な実質的に何らかの方法で構成される方向づけ要素を使用することが可能であり、それにより、所定の接触輪郭にかなり正確に接触ピンを位置づけることができる。
【００１１】
従って、本発明の電気部品では、ハウジング・ボディから突き出ている接触ピンの自由端を接触輪郭に沿って大変正確に位置づけることが可能である。この場合では、接触輪郭
は、電気部品の接触部が接触キャリアの接触面に、例えばはんだ付けされて接続される接触キャリアの領域にエミュレートする。接触輪郭が接触ピンの接触部が同一平面上に位置づけられる接触面に一致するように、接触キャリアの表面は、多くの場合、例えば開路基板の場合平坦である。なお、接触ピンの接触部は開路板に接続することが可能である。これにより、接触ピンを反対側のコンタクトに確実にはんだ付けすることができるように接触キャリアの反対のコンタクトとの隣接を保証するので、接触輪郭に沿って可能な限り正確に位置付けられる接触ピンは、電気部品の良好な取り付けを保証する。
【００１２】
本発明の解決手段は、それ自体各々利点を有し、要求通り相互に関連づけることが可能な様々な形態により更に改善することができる。これらの態様および個々に関連する利点を下記に説明する。構造的な測定と効果を実施例にのみ記載している。
【００１３】
第１の態様では、少なくとも１つの方向づけ要素は、ハウジング・ボディから突き出ている少なくとも１つのアームに設置することが可能である。アームは、ハウジング・ボディに取り付けられる分離要素であり得る。又、アームをハウジング・ボディに直接的に形成することが可能であり、又はハウジング・ボディに設けられた要素、例えば、取り付け手段に設置又は形成することが可能である。この種のアームは、ハウジング・ボディの構造に関係なく、簡単な方法でハウジング・ボディから離隔させて方向づけ要素を設置することが可能である。
【００１４】
更なる態様では、方向づけ要素により橋渡し（又はブリッジ；ｂｒｉｄｇｅ）される、少なくとも２つのアームが供される。これにより、例えば、配向プレート、配向ロッド、配向シャフト又は配向リブ等の方向づけ要素の２つの長手端部の各々をアームに設置し、方向づけ要素を２つのアーム間に設けることが可能となる。
【００１５】
又、アームに方向づけ要素を設置することにより、２つ又はそれよりも多い方向づけ要素を備えた電気部品を供することが可能である。従って、例えば、２つの方向づけ要素を同じアーム又は同じ２つのアームに設置することができる。その結果、部品のハウジングの一方の側又は異なる側から突き出る接触ピンが２つのグループに分けられる。いずれの場合も、接触ピンの一方は２つの方向づけ要素の一方に当てられる。これにより、２つのグループの接触ピンを、対応する方向づけ要素により予め決められている各接触輪郭に位置付けることができる。２つの接触輪郭は、例えば相互に同一平面上になるように位置付けられてよい。
【００１６】
その代わりに又は更に、更なる方向づけ要素を一方のアーム又は同じアームにある部品ハウジングの別の側に設置してよい。これにより、接触ピンで供される複数の側を有する、電気部品の接触ピンを位置付けることが可能となる。
【００１７】
更なる形態では、ハウジング・ボディに設置される側板は、少なくとも１つのアームで形成することが可能である。この種の側板は、ハウジング・ボディから独立して形作ることができるので所望の形態で柔軟な方法で形作ることができ、続いて、ハウジングに例えば接着結合又はクリップすることができる。原則として、確実な、非確実な又は接着性の接続が可能である。ハウジング・ボディの異なる側面に方向づけ要素を設けるために、
ハウジング・ボディのエッジをこえて両側面に突き出る、例えばはんだクリップ又ははんだプレートのようなプレート等のハウジング・ボディの異なる側面に突き出る少なくとも２つのアームが供されてよく、又、ハウジング・ボディをこえて突き出る２つの領域がハウジング・ボディの対向する側面にあるアームを各々形成するように、ハウジング・ボディの側壁に取り付けることが可能である。
【００１８】
製造の間、アームの配向および成形に関する設計にかなりの自由度があるので、ハウジング・ボディの実質的に任意の所望のポイントで突き出ることが可能であり、設置する際、方向づけ要素がハウジング・ボディに対してどのように位置付けられるかに関して、および設置される方向づけ要素の数に関してかなりの可能性が供される。
【００１９】
更なる形態では、電気部品は、キャリア、好ましくは接触キャリアに電気部品を実装するための少なくとも１つの取り付け手段を有して成ってよい。少なくとも１つの方向づけ要素は、少なくとも１つの取り付け手段に設けられる。少なくとも１つの取り付け手段は、好ましくは少なくとも１つのプレートを形成してよい。電気部品の取り付け手段は、好ましくは、例えば、ハウジング・ボディに取り付けられるはんだプレート又ははんだクリップの形状である分離要素である。取り付け手段は、接触キャリアに接続され得る実装領域、例えば、接触キャリアにはんだ付けすることができる実装面を有して成る。取り付け手段に少なくとも１つの方向づけ要素、例えば、はんだプレート又ははんだクリップを設置することにより、複数の電気部品が接触キャリアにその部品を実装するためにいずれにおいても使用される場合でも、所定の接触輪郭に接触ピンを位置付けるための方向づけ要素を有して成る可とう性があり、多用途の電気部品を、取り付け手段を変更することにより供することができる。スタンプされた部分として通常製造される例えば、はんだプレート又ははんだクリップ等のこの種の取り付け手段は、アームを有して成るために容易に製造することが可能である。
【００２０】
アーム、具体的には取り付け手段に形成されるアームを安定にするために、取り付け手段は、接触キャリアに接続することができる実装領域を有して成ってよい。アームは、少なくとも１つの実装領域を含んで成る。はんだクリップ又ははんだプレートが取り付け手段として使用される場合、これは、通常接触キャリアの表面にはんだ付けされる、はんだ付け面状の取り付け部を有して成る。この取り付け領域は、ハウジング・ボディに通常設けられる。接触キャリアにハウジング・ボディから突出するアームを接続するために、アームは、ハウジング・ボディに設けられる取り付け面と同一平面上にするために位置付けられている実装領域を更に、例えば、取り付け面を更に有して成ってよい。
【００２１】
更なる態様では、アームの好ましい連続的な凹部はリテーナを形成することができる。アームはスタンプされた要素として好ましくは形成されるので、アームの凹部としてのリテーナの形態は構造的にかなり簡単である。方向づけ要素を挿入可能な凹部は、例えばアームのエッジ領域で終わる溝又はスロットであってよい。凹部内に方向づけ要素をプレスするために弾力性のある接触ピンのバイアスを利用することで、凹部に方向づけ要素を保持することが可能である。
【００２２】
ある態様では、凹部を貫通孔として構成することができる。貫通孔は、安定性を減らすことなく簡単な方法でアームに作ることができる。方向づけ要素のための信頼できるリテーナを構造的に簡単な方法で作ることができる結果として、方向づけ要素を貫通孔を介して挿入することができるように、方向づけ要素が構成されてよい。同様の方法で、例えば貫通孔の輪郭が方向づけ要素の挿入の外形に適合するような方法で、方向づけ要素に沿って挿入方向に示される貫通孔の輪郭を形成することで、実質的に所望の方法で構成される方向づけ要素を貫通孔に保持することができる。又、方向づけ要素の挿入外形に適合する貫通孔により、方向づけ要素を貫通孔を介して挿入し、所定の向きで実装位置に入り込むことができる。
【００２３】
方向づけ要素が外れ、又は不意に取り付け手段から放れないようにするために、更なる態様では、実装位置から操作位置に移る間、方向づけ要素が取り付け手段から外れないようにする固定手段が供されてよい。これにより、方向づけ要素が移動する間に定位置に保持される。取り付け手段におよび/又は方向づけ要素に固定手段を設けることができ、又は固定手段は、部品に設けられる方向づけ要素が固定機構を放すことなく外れないようにする分離部であり得る。考えられる固定手段は、例えば、スプリット・ピン、ボルト、キャッチ機構又はねじ込み継ぎ手である。
【００２４】
更なる態様では、方向づけ要素上の固定手段として固定突起部を形成することが可能である。方向づけ要素への固定手段の設置は、方向づけ要素を部品の所望の実装位置に取り付ける際、配向手段が部品から外れないようにする、固定手段を操作位置に移動可能であることを保証することができる利点を有する。固定突起部は、簡単な方法で方向づけ要素に作ることが可能である。又、固定突起部は、方向づけ要素を取り付け手段に対して回転させ、それにより方向づけ要素を回転できるように構成する態様によく適合することで、取り付け手段の面と隣接し、又は取り付け手段の特定の領域と係合した状態にすることができる。
【００２５】
更なる態様では、電気部品は操作位置で方向づけ要素を固定するためのロッキング要素を有して成ってよい。ロッキング手段により、方向づけ要素が、取り付け手段、例えば取り付け手段のアームにしっかりと接続され、それによって、所望の操作位置に固定されることを保証する。又、ある態様では、ロッキング要素は同時に取り付け手段であり得る。しかしながら、分離した取り付け手段および分離したロッキング要素を供することが可能である。まず、取り付け手段は方向づけ要素を部品の定位置に保持することを保証すると共に、次いで、ロッキング要素は操作位置に方向づけ要素を固定することを保証する。例えば、キー、ねじ接続、ほぞ接ぎ又はプレス接続等の所望の確実な、非確実な又は粘着性のロッキング要素が使用されてよい。確実な接続の場合、方向づけ要素を部品に固定し、方向づけ要素を部品から外すことを繰り返して行うことが可能である。これは、例えばロッキング要素がアームに例えば設けられるキャッチ手段として形成され、方向づけ要素がキャッチ手段にラッチされ得る対のキャッチを有して成るので、達成することができる。アームのキャッチ手段および方向づけ要素の対応する対のキャッチにより形成されるこの種の確実なキャッチ機構は、構造的に簡単な方法で作ることができ、方向づけ要素を操作位置に取り付けることを確実に保証する。
【００２６】
更なる態様では、対のキャッチは固定突起部に設けられてよい。これにより、ロッキング要素は固定手段に設けられる。従って、例えば取り付け手段に対して方向づけ要素を回転させることで操作位置に方向づけ要素が移されるとすぐに、固定手段がラッチされ、それにより方向づけ要素を固定することができるのである。
【００２７】
本発明は、図面を参照して例を通じて下記の態様により説明される。この態様の異なる特徴は、前もって個々の利点のある形態を示しているように相互に独立して結合されてよい。
【図面の簡単な説明】
【００２８】
【図１】図１は、本発明の第１態様の電気部品の分解斜視図である。
【図２】図２は、接触ピンがなく、方向づけ要素を設ける前の図１の本発明の電気部品の斜視図である。
【図３】図３は、図２の側面図である。
【図４】図４は、操作位置に方向づけ要素を設けていない第１態様の電気部品の概略斜視図である。
【図５】図５は、キャリアに実装されている本発明の第１態様の電気部品の側面図である。
【図５Ａ】図５Ａは、線分Ａ−Ａに沿った図５の本発明の第１態様の電気部品の断面図である。
【図６】図６は、接触キャリアに実装された更なる態様の電気部品の側面図である。
【図７】図７は、本発明の第３態様の電気部品の側面図である。
【発明を実施するための形態】
【００２９】
第１態様の接触キャリア１４に実装される表面における本発明の電気部品１の個々の部品および機能を図１の分解図および図２〜５を参照してまず説明する。
【００３０】
図１は、示される態様で電気コネクタである電気部品１の分解図である。電気部品は、示される態様でハウジング・ボディ２、複数の接触ピン３、２つの取り付け手段４、はんだクリップ５、および方向づけ要素６を有して成る。図１〜５の第１態様では、電気部品１は、一方の接触側面７にのみ接触ピン３を有している。接触ピン３は、電気部品１のハウジング・ボディ２に堅く接続され得る。このため、接触ピン３の取り付け部８は、ハウジング・ボディ２の接触側面７に設けられた取り付けグリッド１０の取り付け開口部９内に押し込まれる。取り付け開口部９に取り付けられている接触ピン３は、接触側面７のハウジング・ボディ１から突き出ている。
【００３１】
取り付け部８に対してある角度で延在するスペーサ部１１は、ハウジング・ボディ２から外方に向いている取り付け部８の端部に接続されている。接触ピン３の接触部１２は、取り付け部８から外方に向いているスペーサ部１１の端部に接続されており、接触部１２はスペーサ部１１に対してある角度で、取り付け部８に実質的に平行に延在している。示される態様では、前記接触ピンの接触部が、示される態様では接触領域Ｋである接触輪郭Ｋに沿っておおよそ位置づけられるように、複数の接触ピン３が、取り付け開口部９の２つの平行な列により形成される取り付けグリッド１０に設けられる。接触キャリア１４の接触面１３、例えば回路基板の平面のはんだコンタクトに取り付け可能である接触ピン３は、ＳＭＤコンタクトとして知られているものとして形成されている。
【００３２】
取り付けグリッド１０に加えて、ハウジング・ボディ２は、相互に実質的に平行に延在し、図１〜５に示される態様によりプラグ・コネクタとして構成される電気部品１内に挿入方向Ｅに沿ってプラグを挿入することが可能なハウジング内部１７を規定する下面１５および上面１６を有して成る。
【００３３】
電気部品は、実装方向Ｍにキャリア１４ａ、例えば接触キャリア１４に設けられ、実装される。図５および図６に示すように、電気部品１がキャリア１４ａ又は接触キャリア１４に実装されると、ハウジング・ボディ２の下面１５は、接触キャリア１４の取り付け面１３ａ又は接触面１３に当てられる。
【００３４】
図５の側面図や図１からも明らかなように、示される態様のハウジング・ボディ２は、実質的にＵ字形状の断面を有している。換言すれば、ハウジング・ボディ２は、挿入方向Ｅに垂直に、実装方向Ｍに設けられた側面１８に開口している。
【００３５】
示される電気部品の態様では、これら開口側面１８は取り付け手段４として供されるプレート５により閉じられている。プレート５、好ましくははんだプレートは略矩形であり、ハウジング・ボディ２のＵ字形状の側面１８に広がる矩形に対応している。はんだプレート５は、ハウジング・ボディ２の側面１８に掛けられ、それによって、はんだプレート５が側面に沿ってハウジング・ボディ２を閉じるように取り付けられている。プラグ・コネクタは、接触側面７に対向する接続側面１９で電気部品１として形成される。接続開口部２０は、電気部品１の内部に（図示していないが、）プラグ・コネクタを挿入するために供される。ハウジング・ボディ２の側面１８にはんだプレート５を掛けるために、ハウジング・ボディ２は、取り付けグリッド１０の領域内にハウジング・ボディ２の側面１８から突出するキャッチ突起部２１を有して成る。又、上面１６と下面１５および取り付けグリッド１０は、それらの側面１８に矩形の凸部として側面１８から突出する、横方向に突出する取り付け突起部２２を備えている。
【００３６】
概してスタンプされた部分として形成されるはんだプレート５は、取り付け突起部２２に対応する取り付け開口部２３を有して成る。はんだプレート５が実装されると、取り付け突起部２２は、取り付け開口部２３に位置付けられ、はんだプレート５がハウジング・ボディ２の側面１８に沿って動かないようにする。
【００３７】
キャッチ突起部２１が供される領域では、はんだプレート５がハウジング・ボディ２の側面１８に設けられる際、はんだプレート５は、弾性的に曲がるようにキャッチ突起部２１に掛かるキャッチ凸部２４を有して成る。キャッチ突起部２１およびキャッチ凸部２４の形態であるキャッチ機構２１、２４により、はんだプレート５はハウジング・ボディ２の側面１８から外れないようにされる。
【００３８】
側面１８に取り付けられたプレート５を有して成る電気部品１は図２に示される。取り付け突起部２３がどのように関連する取り付け開口部２３に設けられ、キャッチ凸部２４がどのようにキャッチ突起部２１に掛けられるのか明らかである。
【００３９】
取り付け手段４、示される態様でははんだプレート５は、実装領域２５を有して成る。図４、５を参照すると、実装領域２５はハウジング・ボディ２の下面１５から突出しており、それによって、実装方向Ｍに電気部品が接触キャリア１３に適当に設けられると、キャリア１４ａ又は接触キャリア１４に電気部品１を実装することができる、例えば接着結合又ははんだ付けすることができる実装レール２６が形成される。
【００４０】
取り付け手段４に設けられる方向づけ要素６を有して成る電気部品の態様を図１および図２を特に参照して、下記により詳細に説明する。
【００４１】
示される態様の方向づけ要素６は、カムシャフト又は偏心器の形状を有する楕円断面を有する実質的に棒状のものである。方向づけ要素では、長手方向Ｌに沿って隣接して設けられた複数の歯２８を有して成り、カム又は配向ロッド６又は配向シャフトの偏心部を示す配向くし２７が長手方向Ｌに沿って設けられている。歯の間に設けられるバレー２９は、接触ピン３のレセプタクルおよび留め具として供される。図４および５に示される操作位置では、接触ピン３がまず長手方向Ｌに又は長手方向Ｌとは逆に動かないようにし、それによって、隣接する接触ピン３が相互に触れないようにする。更に、示される態様では、接触ピン３は、方向づけ要素６の配向くし２７のバレー２９に対する操作位置でスペーサ部１１を有し、それによって、接触ピン３の接触部１２が方向づけ要素６により所定の接触輪郭Ｋに方向づけられる。（図５に示すように）、方向づけ要素６が操作位置で電気部品１の取り付け手段４に設けられると、取り付けくし２７はハウジング・ボディ２の実装方向Ｍに面する。（図５に示すように）、電気部品１が接触キャリア１４に備えつけられると、それによって、配向くし２７は接触キャリア１４の接触面１３の方向に面する。
【００４２】
長手方向Ｌに面し、長手方向Ｌとは反対の方向に面する端部３０では、方向づけ要素６はいずれの場合でも固定突起部３１を備えている。下記により詳細に説明するように、固定突起部３１は、方向づけ要素６が電気部品から外れないように、示される態様では、取り付け手段４から外れないようにする固定（又は保護；ｓｅｃｕｒｉｎｇ）手段３２を形成する。図３に示すように、長手方向Ｌで見られる方向づけ要素６の輪郭は、挿入断面すなわち長手方向Ｌに見られる翼又は楕円形状の固定突起部３１、および相互に実質的に垂直である脚を形成する棒状の方向づけ要素６の偏心くし２７により、実質的にＬ字形状である。示される態様の挿入断面の場合、固定突起部３１により形成される脚は、配向くし２７により形成される脚と比べて２つの長い脚である。
【００４３】
取り付け手段４への方向づけ要素６の実装および設置を、特に図２〜４を参照して下記にてより詳細に説明する。
【００４４】
図面に示される態様により本発明の電気部品１では、方向づけ要素６は、挿入方向でハウジング・ボディ２から接触側面７で突き出るアーム３３に設けられる。示される態様では、アーム３３は取り付け手段４に形成される。取り付け手段４はスタンプされた部分として形成され、アーム３３はハウジング・ボディ２の側面カバーを形成するプレート５に直接的に接続されている。
【００４５】
アーム３３は、方向づけ要素６を設置するためのリテーナ３４を有して成る。示される態様では、リテーナ３４は、貫通孔３６の形状で連続的な凹部３５により形成される。貫通孔３６は、貫通孔３６を介して長手方向Ｌに沿って方向づけ要素６を挿入することが可能な程十分に大きい。
【００４６】
貫通孔３６として形成される凹部３５の外形は、図３に示すように長手方向Ｌに見られる方向づけ要素６のＬ字形状の挿入断面に実質的に対応する。方向づけ要素６の配向くし２７および固定突起部３１により形成される脚は異なる長さを有しているので、方向づけ要素の長手方向Ｌに沿った特定の方向に貫通孔３６を介して方向づけ要素６を挿入して、方向づけ要素を実装することができるのみである。
【００４７】
示される態様の電気部品１の場合では、２つの同一の取り付け手段４が対向する側面１８に供されるので、示される態様での電気部品１は、その結果貫通孔３６を各々有する２つのアーム３３を有する。方向づけ要素６の長さは、例えば図４に示すように、方向づけ要素６が２つのアーム３３にかかり、２つの貫通孔３６に保持され得るように算出される。
【００４８】
固定突起部３１又は方向づけ要素６の配向くし２７を有して成る楕円断面が、２つのアーム３３の２つの貫通孔３６の一方に設けられる限り、貫通孔３６内に長手方向Ｌに沿って方向づけ要素６を移動させることが可能となる。配向くし２７と固定要素３１との間に設けられる回転部材３７を貫通孔３６に備えつける際、リテーナ３４に設置可能な実装位置から移動させる、すなわち、方向づけ要素６をリテーナ３４に固定又は設置する操作位置に貫通孔３６を動かすことができる結果として、長手軸の周りで方向づけ要素６を回転させることが可能となる。回転部材３７においては、方向づけ要素６は、Ｌ字形状の２つの脚を満たす接合部に実質的に対応する円形断面を有する。回転部材３７は、配向くし２７と固定翼３１との間に設けられる方向づけ要素６の短部である。
【００４９】
貫通孔３６に設けられた回転部３７で方向づけ要素６を回転軸Ｄの周りで回転させる際、固定突起部３１がアーム３３に位置し、方向づけ要素６が長手方向Ｌに又は長手方向Ｌとは反対に動かないようにするために、方向づけ要素６の輪郭は貫通孔３６に一致して回転する。同じ事は、配向くし２７が回転部３７に移る配向くし２７の端部３８にも適用する。このようにして、固定突起部３１により、実装位置から操作位置への移る間、取り付け手段４の方向づけ要素６が外れないようになる。
【００５０】
配向くし２７に面している面では、方向づけ要素６が約９０度回転される際、キャッチ手段３９、示される態様ではキャッチ突起部３９を備えた固定突起部３１が供され、対応するカウンター・キャッチ４０にかかり、この固定突起部３１により方向づけ要素６が取り付け手段４で回転しないように固定される。
【００５１】
カウンター・キャッチ４０は、アーム３３にあるキャッチ溝として形成され、配向くし２７に当てられるＬ字形状の貫通孔３６の脚の延在部に対応するアーム３３の貫通孔３６の領域に直接的に接続されている。カウンター・キャッチ溝４０は、アーム３３の面に完全に貫通するキャッチ・スロット４０により形成される。この形態は、取り付け手段４が設けられる側面１８に独立して、示される態様でのアーム３３を有して成る取り付け手段４を使用可能である利点を有している。スロットとしての形態により、カウンター・キャッチ４０はアーム３３の両側に形成される。
【００５２】
方向づけ要素６を回転軸に沿って回転させる際、すなわち、方向づけ要素６を実装位置から操作位置に移す際、接触ピン３は方向づけ要素６により接触輪郭Kに沿って方向づけられる。実装方向Mに方向づけ要素６を設けた後、移動させる間、例えば配向くし２７を接触ピン３に対して回転させることで、方向づけ要素６を接触ピン６に接触させるのみの構造にすることが可能である。この構造では、接触ピン３は実装位置では方向づけ要素６に設けられておらず、操作位置のみにおいて方向づけ要素６に設けられている。しかしながら、接触ピン３は、実装位置では方向づけ要素６に触れ、次いで方向づけ要素を操作位置に移す際に接触輪郭Kに方向づけることが可能である。
【００５３】
キャリア１４a又は接触キャリア１４に本発明の電気部品１を実装するため、取り付け手段４は、上記にて説明するように実装領域を有して成る。示される態様では、側面１８に、ハウジング２の下面の領域に延在する実装領域２６が供される。更に、取り付け手段４は、アーム３３に形成される更なる実装領域２５aを有して成る。これらの更なる実装領域２５aは、貫通孔３６の水平面で下面１５に対してアーム３３から突き出る実装凸部４１として構成されてよい。図６に示される態様では、取り付けレール２６、アーム３３に設けられる実装凸部４１の自由端部４２、および接触ピン４の接触部１２が接触エリアKに実質的に設けられ、それによって、電気部品１を接触キャリア１３に取り付ける際、接触キャリア１４の接触面１３に関連づけられて、接続され得る。
【００５４】
又、電気部品１のハウジング・ボディ２は、図５に示すように実装レール２６を通じてキャリア１４aに実装することが可能である。このキャリア１４aは、必ずしも接触キャリア１４と同一である必要はなく、すなわち例えば回路板１４であってもよい。
【００５５】
この事は、キャリア１４aに実装される電気部品１を示す図５でよく分かる。電気部品の接触部１２は電気導電性があり機械的な方法で接触キャリア１４の接触面１３に接続される。ビューアに見える取り付け手段４は、この取り付け手段４により隠れている接触ピン３の方向を見ることが可能な方法で、図５から除かれている。図５は、スペーサ部１１の部分を備えた接触ピン３が、方向づけ要素６の配向くし２７に対してどのような部分に位置し、方向づけ要素６により接触輪郭Kにどのように方向付けられるかを示す。又、図５は、接触輪郭Kからはなれて面する取り付け部８がどのように取り付けグリッド１０に固定されるのか、又どのようにハウジング内部１７内に突き出るのかを示している。
【００５６】
図５に示される態様での接触部１２が接続される接触面１３は、この態様では、スペースの理由でハウジング・ボディ２を接触キャリア１４に実装することが実行可能ではないように、接触キャリア１４のエッジに位置する。図５に示される態様では、電気部品１は、アーム３３に形成される更なる取り付け部２５aを通じてのみ接触キャリア１４に接続される。このために、実装凸部４１は、この目的のために供され、示される態様で接触キャリアを形成する回路板１４に形成される備えつけ開口部４３を介して延在する。ある固定手段は、接触面１３に対向する接触キャリア１４の側面に突出する、実装凸部４２の自由端部を弾性的に変形させ、それによって、取り付け開口部４３に実装凸部４１を固定することである。その代わりに又は更に、実装方向Mに面し、接触キャリア１４の接触面１３に設けられるアームの下側エッジ４４を、接触キャリア１４に機械的に、例えば接着結合又ははんだ付けすることが可能である。
【００５７】
図５Aは、図５の電気部品１の線分A-Aに沿った断面図である。詳細は、接続側面１９から接触ピン３の取り付け部８がスペ−サ部１１に移る接触側面７の領域までの電気部品１を単に示したに過ぎない。
【００５８】
図５Ａで見られるように、接触ピン３の取り付け部８の自由端部はハウジング・ボディ２の内部１７内に突出している。又、図５Ａは、取り付けグリッド１０内の取り付け開口部９を接触側面７に広げること、で取り付け開口部９内に接触ピン３を挿入し易くなっていることを示している。最後に、図５Ａは、図５Ａの断面図で見ることができる、接触面１４に対して接触ピン３の上段のスペーサ部１１は、接触ピン３の下段のスペーサ部１１からずれて延在していることをはっきりと示している。スペーサ部１１と接触ピン３の下段の取り付け部８は挿入方向Ｅで略直線に連続している一方、上段の接触ピン３は取り付け部８からスペーサ部１１までの移行で偏位部４５を有している。上段では、取り付け部８およびスペーサ部１１は挿入方向Ｅに平行に延在しているが、スペーサ部１１は、偏位部４５を通じて挿入方向Ｅに対して右側の方向にずれており、実装方向Ｍでは２つの隣接する取り付け部８間に延在している。これにより、２段から成る接触ピン３を単一の方向づけ要素６に割り当てることが可能となる。
【００５９】
本発明の電気部品１の更なる態様を図６および７を参照して下記にて説明する。図１〜５の第１態様の電気部品と異なる点のみを説明する。これまでの図面と同じ引用符号が、これまでの態様と同様又は同一の部分の機能および/又は構造を有する部分に使用される。
【００６０】
図１〜４の部品と比べて、図６および７に示される電気部品１は１つよりも多い方向づけ要素６、具体的には２つの方向づけ要素６を有して成る。これまでの態様の図５と比べて、図６では電気部品１は、前記部品の実装領域２５、２５ａを通じて接触キャリア１４に直接的に実装されている。接触ピンの接触部１２は接触面１３に接続されている。図５では、ビューアに見える取り付け手段４は、接触ピン３のコースを示すために図６から除かれている。
【００６１】
図６に示される態様では、２つの方向づけ要素６を同じアーム３３に平行し、隣接して設けることができるように、対向するカウンター・キャッチ４０に加えて隣接して設けられた２つの貫通開口部３６を有した、取り付け手段４のアーム３３が供される。図６の第２態様では、方向づけ要素６の実装、設置および固定は、電気部品１の第１態様に関して上記に説明したものに一致する。
【００６２】
又、図６に示される態様の電気部品１は、接触ピン３の４列配置により図５に示される態様とは異なる。この目的のため、４列の取り付け開口部９を有した取り付けグリッド１０が供される。接触面１３に対して上側の２列の接触ピン３は、接触側面７からより離れている方向づけ要素６に割り当てられる。接触面１３に対して上側の２列の接触ピンは、ハウジング・ボディ２の接触側面７に近い方向づけ要素６に割り当てられる。いずれの場合も１つの方向づけ要素６への２列の接触ピン３の割り当ては、図５および図５Ａに示される割り当てに対応する。原則としては、複数列の接触ピン３は、１つ以上の方向づけ要素６に割り当てることが可能である。この場合、方向づけ要素６は挿入方向Ｅに連続して設けられてよい、又は実装方向Ｍに一方の方向づけ要素が他方の方向づけ要素に設けられてよい。いずれの場合でも、好ましくは２つの、複数列の接触ピン３を１つの方向づけ要素６に割り当てることが可能である。
【００６３】
図７は、本発明の部品１の更なる態様の側面図である。又、図７はビューアに見える取り付け手段を示している。これまでの態様と比べて、図７の態様は、いずれの場合もアーム３３につき１つの方向づけ要素６を受容するための貫通開口部３６を有した、ハウジング・ボディ２の対向する側面に突出し図１〜５の第１態様のアーム３３の形態により各々形成されている、２つのアーム３３を有する取り付け手段を有して成る。図７の態様により、取り付け手段４を使用して構造的に単純な方法で、１つの方向づけ要素、又は望ましくは複数の方向づけ要素６を電気部品１の２つの対向する側面に設けることが可能となる。
【図１】
0005860892.tif 000002
【図２】
0005860892.tif 000003
【図３】
0005860892.tif 000004
【図４】
0005860892.tif 000005
【図５】
0005860892.tif 000006
【図５Ａ】
0005860892.tif 000007
【図６】
0005860892.tif 000008
【図７】
0005860892.tif 000009